(57)【要約】【課題】セキュリティ性の高い機器制御システムを提供する。【解決手段】機器制御システムに機器１を制御するための複数枚の記憶カード２の全てに１回の登録ルーチンでそれぞれの暗証コードの一部を共通のコードとしてカード書き込み部５を介して記憶カード２に書き込んで登録すると共に記憶カード２に書き込む暗証コードと同じ暗証コードを暗証コード記憶部４に登録するようにした暗証コードの登録手段３を設ける。登録消去手段６により暗証コード記憶部４に記憶された過去の暗証コードが消去された時にのみ登録手段３における新たな暗証コードの再登録を可能とする再登録受付け手段７を設ける。【選択図】　　　　図１
2004084306.tif 000002
【特許請求の範囲】
【請求項１】
カード読出し部において記憶カードに書込まれた暗証コードが暗証コード記憶部に記憶されている暗証コードと一致していることを認証した際に機器を制御するようにした機器制御システムにおいて、該機器制御システムに機器を制御するための複数枚の記憶カードの全てに１回の登録ルーチンでそれぞれの暗証コードの一部を共通のコードとしてカード書き込み部を介して記憶カードに書き込んで登録すると共に記憶カードに書き込む暗証コードと同じ暗証コードを暗証コード記憶部に登録するようにした暗証コードの登録手段と、暗証コード記憶部に登録された過去の暗証コードを消去するための登録消去手段と、登録消去手段により暗証コード記憶部に記憶された過去の暗証コードが消去された時にのみ登録手段における新たな暗証コードの再登録を可能とする再登録受付け手段を備え、登録手段における１回の登録ルーチンで複数枚の記憶カードにそれぞれ暗証コードを登録するに当たって、上記複数枚の記憶カードの各暗証コードの一部を共通のコードとして生成するための共通コード生成手段と、各記憶カードの暗証コードの共通なコード以外の残りの部分をそれぞれ異なるコードとして生成するための個別コード生成手段とを設けて成ることを特徴とする機器制御システム。
【請求項２】
個別コード生成手段により生成される各記憶カードの個別コード部分がランダムなコードであることを特徴とする請求項１記載の機器制御システム。
【請求項３】
共通コード生成手段により生成される各記憶カードの共通コード部分がランダムなコードであることを特徴とする請求項１又は請求項２記載の機器制御システム。
【請求項４】
請求項１乃至請求項３のいずれかの機器制御システムと、該機器制御システムとは別の機器を制御する別の機器制御システムとよりなるシステム群であって、請求項１乃至請求項３のいずれかの機器制御システムにより記憶カードに登録した暗証コードを読み込んで別の機器の制御を可能とする追加登録手段を別の機器制御システムに備えて成ることを特徴とする機器制御システム。
【請求項５】
請求項１乃至請求項３のいずれかの機器制御システムにより記憶カードに登録した暗証コードを別の機器制御システムに登録するに当たって、請求項１乃至請求項３のいずれかの機器制御システムにより登録された複数枚の記憶カードにそれぞれ付けられた暗証コードの別な機器制御システムへの登録が追加登録手段における１回の登録ルーチンで行われることを特徴とする請求項４記載の機器制御システム。
【請求項６】
請求項１乃至請求項３のいずれかの機器制御システムにより登録された複数枚の記憶カードにそれぞれ付けられた暗証コードを、別の機器制御システムにおいて追加登録手段により登録するに当たって、共通のコードが一致している記憶カードのみ登録可能で、共通のコードが一致していない記憶カードは登録不能とする登録拒否手段を設けて成ることを特徴とする請求項５記載の機器制御システム。
【請求項７】
請求項４乃至請求項６のいずれかに記載した別の機器制御システムに、別の機器を制御するための複数枚の記憶カードの全てに１回の登録ルーチンでそれぞれの暗証コードの一部を共通のコードとしてカード書き込み部を介して記憶カードに書き込んで登録すると共に記憶カードに書き込む暗証コードと同じ暗証コードを暗証コード記憶部に登録するようにした暗証コードの登録手段と、暗証コード記憶部に登録された過去の暗証コードを消去するための登録消去手段と、登録消去手段により暗証コード記憶部に記憶された過去の暗証コードが消去された時にのみ登録手段における新たな暗証コードの再登録を可能とする再登録受付け手段を備え、登録手段における１回の登録ルーチンで複数枚の記憶カードにそれぞれ暗証コードを登録するに当たって、上記複数枚の記憶カードの各暗証コードの一部を共通のコードとして生成するための共通コード生成手段と、各記憶カードの暗証コードの共通なコード以外の残りの部分をそれぞれ異なるコードとして生成するための個別コード生成手段とを設けて成ることを特徴とする機器制御システム。
【発明の詳細な説明】
【０００１】
【発明の属する技術分野】
本発明は、電気錠のような制御対象である機器を制御するための機器制御システムに関するものである。
【０００２】
【従来の技術】
従来、ＩＣカードのような携帯できる記憶カードに暗証コードを登録し、暗証コードを登録した記憶カードにより制御対象である機器を制御することが行われている。
【０００３】
制御対象である機器が例えば電気錠の場合、電気錠としては例えば玄関用電気錠と門扉用電気錠とがあり、従来にあっては、玄関用電気錠を開閉するための玄関用の記憶カードと、門扉用電気錠を開閉するための門扉用の記憶カードとを別々に設けていた。このように玄関用の記憶カードと、門扉用電気錠を開閉するための門扉用の記憶カードとを別々に設けると、利用者は別々のカードを所有する必要があり、しかも、使用する際に別々のカードを使い分ける必要があるため使用上面倒であった。
【０００４】
そこで、玄関用電気錠の開閉のシステムと門扉用電気錠の開閉のシステムとを同一のシステムとして共通のカードで玄関用電気錠の開閉と門扉用電気錠の開閉とができるようにすることが考えられるが、カードデータが追加書き込みできるようなシステムであると、第三者が恣意的に任意のカードが登録できるため、防犯上に問題があった。
【０００５】
また、データの共有に当たり、玄関用・門扉用の暗証コードを共有する方式として両者を有線又は無線にて接続し、暗証コードのやりとりを行うことで一枚の記憶カードで玄関用電気錠と門扉用電気錠とを施解錠可能とする方法があるが、暗証コードデータそのものを通信する必要があり、セキュリティー上相対的に危険となり、暗号化を経る方式であっても制御部の構成が複雑化するという問題があった。
【０００６】
また、いずれの従来例においても、第三者が不正に記憶カードに登録されるおそれがあり、このようにして不正に登録されるとセキュリティ上きわめて問題が生じる。
【０００７】
【発明が解決しようとする課題】
本発明は上記の点に鑑みてなされたものであり、第三者が不正に記憶カードに登録しても直ぐに不正登録を発見して不正登録された記憶カードが使用できないようにすることが可能であり、また、複数の異なる記憶カードの認証システムにおいて両者を接続することなく記憶カードの共用化ができ、更に、セキュリティ性を高めることができる機器制御システムを提供することを課題とするものである。
【０００８】
【課題を解決するための手段】
上記課題を解決するために本発明に係る機器制御システムは、カード読出し部８において記憶カード２に書込まれた暗証コードが暗証コード記憶部４に記憶されている暗証コードと一致していることを認証した際に機器１を制御するようにした機器制御システムにおいて、該機器制御システムに機器１を制御するための複数枚の記憶カード２の全てに１回の登録ルーチンでそれぞれの暗証コードの一部を共通のコードとしてカード書き込み部５を介して記憶カード２に書き込んで登録すると共に記憶カード２に書き込む暗証コードと同じ暗証コードを暗証コード記憶部４に登録するようにした暗証コードの登録手段３と、暗証コード記憶部４に登録された過去の暗証コードを消去するための登録消去手段６と、登録消去手段６により暗証コード記憶部４に記憶された過去の暗証コードが消去された時にのみ登録手段３における新たな暗証コードの再登録を可能とする再登録受付け手段７を備え、登録手段３における１回の登録ルーチンで複数枚の記憶カード２にそれぞれ暗証コードを登録するに当たって、上記複数枚の記憶カード２の各暗証コードの一部を共通のコードとして生成するための共通コード生成手段９と、各記憶カード２の暗証コードの共通なコード以外の残りの部分をそれぞれ異なるコードとして生成するための個別コード生成手段１０とを設けて成ることを特徴とするものである。このような構成とすることで、１回の登録ルーチンで登録した複数枚の記憶カード２の暗証コードには共通のコードがついているため、仮に第三者が不正なやり方で暗証コードを付けて記憶カードを作成しようとしても共通コードを付けない限り読出し部８で認証できずにセキュリティ性が向上するものであり、しかも、登録消去手段６により暗証コード記憶部４に記憶された過去の暗証コードを消去しなければ最初に登録した複数枚の記憶カード２以外の記憶カード２に暗証コードを登録することができず、従って、仮に第三者が不正に登録消去手段６を操作して正規のやり方で新たに別の暗証コードを登録したとしても、正規の使用者は自分が使用する記憶カード２の暗証コードが消去されて読出し部８で認証できないので、誰かが不正に新たに登録したことが判り、直ぐに、登録消去手段６を操作して不正に登録された暗証コードを消去して新たに記憶カード２に暗証コードを再登録して不正に登録した第三者の登録を無効にできるものである。
【０００９】
また、個別コード生成手段９により生成される各記憶カード２の個別コード部分がランダムなコードであることが好ましい。このような構成とすることで、個々の記憶カード２の個別の暗証コードのセキュリティ性が向上するものである。
【００１０】
また、共通コード生成手段９により生成される各記憶カード２の共通コード部分がランダムなコードであることが好ましい。このような構成とすることで、登録手段３における一回の登録ルーチンで登録される複数の記憶カード２に登録される共通コードのセキュリティ性が向上するものである。
【００１１】
また、請求項１乃至請求項３のいずれかの機器制御システムと、該機器制御システムとは別の機器１’を制御する別の機器制御システムとよりなるシステム群であって、請求項１乃至請求項３のいずれかの機器制御システムにより記憶カード２に登録した暗証コードを読み込んで別の機器１’の制御を可能とする追加登録手段１１を別の機器制御システムに備えることが好ましい。このような構成とすることで、１つの機器制御システムにおいて機器１を制御するために該機器制御システムの登録手段３において登録してカード書込み部５により書き込んだ記憶カード２の暗証コードを、別の機器１’を制御する機器制御システムに設けた追加登録手段１１で読み込んで該別の機器制御システムに登録することが可能で、共通の記憶カード２を異なる機器制御システムにおいてそれぞれ認証して別々の機器１、１’を制御することができるものである。
【００１２】
また、請求項１乃至請求項３のいずれかの機器制御システムにより記憶カード２に登録した暗証コードを別の機器制御システムに登録するに当たって、請求項１乃至請求項３のいずれかの機器制御システムにより登録された複数枚の記憶カード２にそれぞれ付けられた暗証コードの別な機器制御システムへの登録が追加登録手段１１における１回の登録ルーチンで行われることが好ましい。このような構成とすることで、１つの機器制御システムにおいて機器１を制御するために該機器制御システムの登録手段３において登録してカード書込み部５により書き込んだ複数枚の記憶カード２の暗証コードを、別の機器１’を制御する機器制御システムに設けた追加登録手段１１で読み込んで該別の機器制御システムに登録するに当たって、別な機器制御システムへの登録が追加登録手段１１における１回の登録ルーチンで行うことができて、別な機器制御システムへの複数のカードの暗証コードの追加登録が一括して簡単に行えることになる。
【００１３】
また、請求項１乃至請求項３のいずれかの機器制御システムにより登録された複数枚の記憶カード２にそれぞれ付けられた暗証コードを、別の機器制御システムにおいて追加登録手段１１により登録するに当たって、共通のコードが一致している記憶カード２のみ登録可能で、共通のコードが一致していない記憶カード２は登録不能とする登録拒否手段１２を設けることが好ましい。このような構成とすることで、１つの機器制御システムにおいて機器１を制御するために該機器制御システムの登録手段３において登録してカード書込み部５により書き込んだ複数枚の記憶カード２の暗証コードを、別の機器１’を制御する機器制御システムに設けた追加登録手段１１で読み込んで該別の機器制御システムに登録するに当たって、追加登録手段１１で不正に登録しようとしても共通のコードが一致しないため、不正登録ができないものである。
【００１４】
また、請求項４乃至請求項６のいずれかに記載した別の機器制御システムに、別の機器１’を制御するための複数枚の記憶カード２の全てに１回の登録ルーチンでそれぞれの暗証コードの一部を共通のコードとしてカード書き込み部５’を介して記憶カード２に書き込んで登録すると共に記憶カード２に書き込む暗証コードと同じ暗証コードを暗証コード記憶部４’に登録するようにした暗証コードの登録手段３’と、暗証コード記憶部４’に登録された過去の暗証コードを消去するための登録消去手段６’と、登録消去手段６’により暗証コード記憶部４’に記憶された過去の暗証コードが消去された時にのみ登録手段３’における新たな暗証コードの再登録を可能とする再登録受付け手段７’を備え、登録手段３’における１回の登録ルーチンで複数枚の記憶カード２にそれぞれ暗証コードを登録するに当たって、上記複数枚の記憶カード２の各暗証コードの一部を共通のコードとして生成するための共通コード生成手段９’と、各記憶カード２の暗証コードの共通なコード以外の残りの部分をそれぞれ異なるコードとして生成するための個別コード生成手段１０’とを設けることが好ましい。このような構成とすることで、１つの機器制御システムで登録した記憶カードの暗証コードを別の機器制御システムに追加登録が可能であるだけでなく、１つの機器制御システムにおける複数の記憶カード２への暗証コードの登録と同様のやり方で別の機器制御システムにおいても複数の記憶カード２への暗証コードの登録が可能となるものである。
【００１５】
【発明の実施の形態】
以下、本発明を添付図面に示す実施形態に基づいて説明する。
【００１６】
以下の説明においては、一の機器制御システムにおいて制御対象となる機器１の例として玄関用電気錠を例として説明し、別の機器制御システムにおいて制御対象となる機器１’の例として門扉用電気錠を例として説明する。したがって、以下、機器１を玄関用電気錠１、機器１’を門扉用電気錠１’として説明し、また、玄関用電気錠１を制御する一の機器制御システムを玄関用電気錠制御システム、門扉用電気錠１’を制御する別の機器制御システムを門扉用電気錠制御システムとして説明する。
【００１７】
玄関用電気錠制御システムは、図１に示す制御ブロック図に示すようなもので、制御対象である機器としての玄関用電気錠１と、この玄関用電気錠１の施錠、解錠の制御を行うための制御部１３と、制御部１３を操作するための操作部１４と、暗証コードを記憶して登録するための暗証コード記憶部４と、記憶カード２に書き込まれた暗証コードが暗証コード記憶部４に記憶されている暗証コードと一致しているか否かの認証を行って暗証コードが一致しているという認証を行った際に記憶カード２のデータを読込んで制御部１３に出力するようにしたカード読出し部８と、記憶カード２に暗証コードを書込むためのカード書込み部５とで構成してある。
【００１８】
操作部１４は室内側に位置するように設けてあり、この操作部１４には施錠釦１５、解錠釦１６、登録釦１７、完了釦１８、登録消去釦１９が設けてあり、また、制御部１３には登録手段３、登録消去手段６、再登録受け付け手段７、共通コード生成手段９、個別コード生成手段１０が設けてある。また、操作部１４には登録人数表示部２５が設けてある。
【００１９】
室内側に位置する操作部１４に設けた解錠釦１５を押すと制御部１３により玄関用電気錠１が開となるように制御され、また、施錠釦１６を押すと制御部１３により玄関用電気錠１が閉となるように制御されるものである。
【００２０】
一方、本発明においては記憶カード２の暗証コードをカード読込み部５で認証することで制御部１３により玄関用電気錠１を開閉制御するか、あるいは記憶カード２の暗証コードをカード読込み部５で認証すると共に記憶カード２に書き込んである玄関用電気錠１を開閉するためのデータを読み込むことによって制御部１３により玄関用電気錠１を開閉制御することができるようになっている。このカード読み込み部５は屋外側に設けてあり、したがって、屋外側においては記憶カード２により玄関用電気錠１の開閉を行うものである。
【００２１】
この記憶カード２に暗証コードを登録するには以下のようにして登録するようになっている。
【００２２】
すなわち図４に示すように、操作部１４の登録釦１７を押下げると制御部１３に設けた共通コード生成手段９により共通コードがランダムなコードとして生成され（例えば暗証コードの先頭の１バイトが生成され）、登録手段３が登録モードとなり、登録させたい記憶カード２をカード書込み部５に接近（実施形態では非接触で書き込む例で示しているが、接触により書き込むようなものであってもよい）させ、更に暗証コードを書き込むために登録釦１７を押すことで、個別コード生成手段１０により暗証コードの共通コード以外の残りのコードがランダムなコードとして生成され、登録手段３によりカード書込み部５を介して記憶カード２に暗証コードを書き込み、暗証コード記憶部４に上記記憶カード２に書き込み登録される暗証コードと同じ暗証コードを登録する。これで最初の１枚目の記憶カード２への暗証コードの登録及び同じ暗証コードの暗証コード記憶部４への登録が行われるものである。ここで、本発明における登録手段３による１回の登録ルーチンは、登録釦１７を押して登録手段３を登録モードとすることで登録ルーチンが開始し、記憶カード２の登録人数があらかじめ設定してある規定人数（例えば８人）になるか、又は完了釦１８を押下げることで登録モードが終わることで登録ルーチンが終了する。
【００２３】
したがって、登録したい２枚目以降の記憶カード２を規定枚数以内ならば１回の登録ルーチンで上記と同様にして登録することができる。すなわち、２枚目の記憶カード２をカード書込み部５に接近させ、更に登録釦１７を押し、共通コード生成手段９により生成された共通コードと、個別コード生成手段１０により暗証コードの共通コード以外の残りのコードがランダムなコードとして生成され、登録手段３によりカード書込み部５を介して２枚目の記憶カード２に暗証コードを書き込み、暗証コード記憶部４に上記２枚目の記憶カード２に書き込み登録される暗証コードと同じ暗証コードを登録する。これで２枚目の記憶カード２への暗証コードの登録及び同じ暗証コードの暗証コード記憶部４への登録が行われるものである。３枚目、４枚目も同様にして行い、記憶カード２の登録人数が規定人数（例えば８人）になるか、又は完了釦１８を押下げると、登録手段３による１回の登録ルーチンが終了し、登録手段３による登録モードを抜けて通常モードに移行する。したがって、以後は登録消去釦１９を押さない限り登録釦１７を押しても登録手段３は登録モードとならず、記憶カード２の登録はできないことになり、これにより暗証コード記憶部４に登録された暗証コードの共通コードは全て同一となり、上記登録手段３による１回の登録ルーチンで登録された複数枚の記憶カード２のみが玄関用電気錠１を開閉制御できる記憶カード２となるものである。ここで、上記のようにして記憶カード２に暗証コードを登録していく際に、記憶カード２への登録が１枚ずつ行われる毎に登録人数の合計が登録表示部２５に表示され、複数枚の記憶カード２に１回の登録ルーチンで登録している途中で、現在の登録人数を確認し、後何名の登録が可能であるかを確認しながら登録操作ができることになる。
【００２４】
そして、上記のようにして登録手段３による１回の登録ルーチンにより複数の記憶カード２に一部が共通のコードとなった暗証コードを登録すると共に暗証コード記憶部４に記憶カード２に書き込む暗証コードと同じ暗証コードを登録した後に、記憶カード２、暗証コード記憶部４に別の暗証コードを登録するには、登録消去釦１９を押下げて登録消去手段６により暗証コード記憶部４に登録された過去の暗証コードを消去し、このように登録消去手段６により暗証コード記憶部４に記憶された過去の暗証コードが消去された時にのみ再登録受け付け手段７により登録手段３における新たな暗証コードの再登録が可能となっており、このように登録手段３における新たな暗証コードの再登録を可能とした状態で、前述の図４のフローのようにして新たに登録手段３による１回の登録ルーチンにより複数の記憶カード２に一部が新たな共通のコードとなった暗証コードを登録すると共に暗証コード記憶部４に記憶カード２に書き込む暗証コードと同じ暗証コードを登録するものである。
【００２５】
このようにして、暗証コード記憶部４に別の新たな暗証コードを登録するのであるが、この場合、暗証コード記憶部４に記憶された過去の暗証コードが消去されるので、先に登録していた暗証コードを登録している暗証カード２を用いて玄関用電気錠１を開閉することはできず、したがって、第３者が不正に暗証コード記憶部４に別の暗証コードを登録した場合には、正当な使用者が自分の記憶カード２が使用できないことを知ることで第３者が不正に暗証コードを登録したことを知ることができて、即座に、登録消去釦１９を押下げて登録消去手段６により暗証コード記憶部４に不正に登録された暗証コードを消去し、次に、前述の図４のフローのようにして新たに登録手段３による１回の登録ルーチンにより複数の記憶カード２に一部が新たな共通のコードとなった暗証コードを登録すると共に暗証コード記憶部４に記憶カード２に書き込む暗証コードと同じ暗証コードを登録するものである。これにより、不正な登録を直ぐに発見し、セキュリティ性を向上させることができるものである。
【００２６】
なお、共通コード生成手段９により生成した共通コード、個別コード生成手段１０により生成した個別コードはそれぞれランダムなコードとなっており、例えば、タイマーカウントをしていて登録時におけるタイマーカウントのランダムな数字を共通コード、各個別コードとしてもよいものである。
【００２７】
一方、門扉電気錠システムは図２に示す制御ブロック図に示すようなもので、制御対象である機器としての門扉用電気錠１’と、この門扉用電気錠１’の施錠、解錠の制御を行うための制御部１３’と、制御部１３’を操作するための操作部１４’と、暗証コードを記憶して登録するための暗証コード記憶部４’と、記憶カード２に書き込まれた暗証コードが暗証コードが暗証コード記憶部４’に記憶されている暗証コードと一致しているか否かの認証を行って暗証コードが一致しているという認証を行った際に記憶カード２のデータを読込んで制御部１３’に出力するようにしたカード読出し部８’と、記憶カード２に暗証コードを書込むためのカード書込み部５とで構成してある。
【００２８】
操作部１４’は屋内側に位置するように設けてあり、この操作部１４’には施錠釦１５’、解錠釦１６’、登録釦１７’、完了釦１８’、登録消去釦１９’、追加登録釦２０が設けてあり、また、制御部１３’には登録手段３、登録消去手段６’、再登録受け付け手段７’、共通コード生成手段９’、個別コード生成手段１０’、追加登録手段１１、登録拒否手段１２が設けてある。また、操作部１４’には登録人数表示部２５’が設けてある。
【００２９】
屋内側に位置する操作部１４’に設けた解錠釦１５’を押すと制御部１３’は門扉用電気錠１’が開となるように制御し、また、施錠釦１６’を押すと制御部１３’は門扉用電気錠１’が閉となるように制御するようになっている。
【００３０】
一方、本発明においては前記玄関用電気錠制御システムで登録した複数の記憶カード２を門扉電気錠システムに追加登録して玄関用電気錠１を開閉するための前記複数の記憶カード２により門扉用電気錠１’を開閉できるようにする使用形態と、門扉電気錠システムのみを単独のシステムとして独自の記憶カード２により門扉用電気錠１’のみを開閉できるようにする使用形態とが選択できるようになっている。
【００３１】
以下、前記玄関用電気錠制御システムで登録した複数の記憶カード２を門扉電気錠システムに追加登録して玄関用電気錠１を開閉するための前記複数の記憶カード２により門扉用電気錠１’を開閉できるようにする使用形態の場合につき説明する。
【００３２】
前述のようにして玄関扉電気錠システムにおいて登録した複数枚の記憶カード２を門扉電気錠システムに追加登録するには以下のようにして行うようになっている。
【００３３】
すなわち図５に示すように、門扉電気錠システムの操作部１４’の追加登録釦２０を押下げると制御部１３’に設けた追加登録手段１１が追加登録モードとなるので、登録させたい記憶カード２の１枚目をカード読込み部４に接近（実施形態では非接触で書き込む例で示しているが、接触により書き込むようなものであってもよい）させることで、１枚目の記憶カード２に書き込まれている暗証コードを読み込み、読み込んだ暗証コードを暗証コード記憶部４’に書き込んで登録する。
【００３４】
更に、玄関扉電気錠システムにおいて登録した複数枚の記憶カード２のうち２枚目以降の記憶カード２を門扉電気錠システムに追加登録するには、図５に示すように、２枚目以降の登録させたい記憶カード２をカード読込み部４に接近させ、この記憶カード２に書き込まれている暗証コードを読み込み、１枚目の記憶カード２に書き込まれていた暗証コードと共通コードが一致している場合（実施形態では先頭の１バイトの共通コードが一致している場合）には読み込んだ暗証コードを暗証コード記憶部４’に書き込んで登録する。ここで、１枚目の記憶カード２に書き込まれていた暗証コードと共通コードが一致していない場合には登録拒否手段１２により追加登録手段１１による追加登録が行われないようにして暗証コード記憶部４’への登録が行われず、別の記憶カード２の再登録を促するためのブザーや表示などによる警報手段により警報がなされる。このようにして順次登録したい記憶カード２の枚数分繰り返して登録したい枚数分の記憶カード２に書き込まれている暗証コードを読み込み、読み込んだ暗証コードを暗証コード記憶部４’に書き込んで登録する。記憶カード２の登録人数が規定人数（実施形態では８人）に達するか、又は完了釦１８’を押下げると、追加登録モードが終わることで追加登録ルーチンが終了する。図６には玄関扉電気錠システムにおいて登録した複数枚の記憶カード２の暗証コードを門扉電気錠システムの暗証コード記憶部４’に書き込んで追加登録する一例を示しており、最初の１バイトの共通コードが同じ場合に追加登録を可能としている。このように門扉電気錠システムに追加登録するに当たり、玄関扉電気錠システムで登録した記憶カード２の共通コードと同じ共通コードを備えた記憶カード２でなければ門扉電気錠システムにおいて追加登録できないので、門扉電気錠システムにおける追加登録のセキュリティ性が向上するものである。
【００３５】
上記のように、玄関扉電気錠システムにおいて登録した複数枚の記憶カード２を門扉電気錠システムに追加登録することで、玄関扉電気錠システムにおいて登録し且つ門扉電気錠システムに追加登録した複数枚の記憶カード２により玄関用電気錠１、と門扉用電気錠１’との開閉を共用できるようになっており、この玄関用電気錠１、と門扉用電気錠１’との開閉を行う複数枚の記憶カード２は暗証コードの共通コード部分が全て一致したものであり、共通コードが一致しないものを第３者が不正に作成しても玄関用電気錠１、門扉用電気錠１’のいずれも開閉することができず、セキュリティ性が向上するものである。
【００３６】
ところで、本発明において、門扉電気錠システムを単独で使用する場合、門扉電気錠システム用の別の複数枚の記憶カード２に他のシステムと切り離して門扉電気錠システム用の暗証コードを登録するには以下のようにして登録するようになっている。
【００３７】
すなわち図７に示すように、門扉電気錠システムの操作部１４’の登録釦１７’を押すと制御部１３’に設けた共通コード生成手段９’により共通コードがランダムなコードとして生成され（例えば暗証コードの先頭の１バイトが生成され）、登録手段３’が登録モードとなり、登録させたい記憶カード２をカード書込み部５’に接近（実施形態では非接触で書き込む例で示しているが、接触により書き込むようなものであってもよい）させ、更に暗証コードを書き込むために登録釦１７’を押すことで、個別コード生成手段１０’により暗証コードの共通コード以外の残りのコードがランダムなコードとして生成され、登録手段３’によりカード書込み部５’を介して記憶カード２に暗証コードを書き込み、暗証コード記憶部４’に上記記憶カード２に書き込み登録される暗証コードと同じ暗証コードを登録する。これで最初の１枚目の記憶カード２への暗証コードの登録及び同じ暗証コードの暗証コード記憶部４’への登録が行われるものである。ここで、本発明における登録手段３’による１回の登録ルーチンは、登録釦１７’を押して登録手段３’を登録モードとすることで登録ルーチンが開始し、記憶カード２の登録人数が規定人数（例えば８人）以上、又は完了釦１８を押下げることで登録モードが終わることで登録ルーチンが終了する。
【００３８】
したがって、登録したい２枚目以降の記憶カード２を枚数分上記と同様にして登録する。すなわち、２枚目の記憶カード２をカード書込み部５’に接近させ、更に登録釦１７’を押し、共通コード生成手段９’により生成された共通コードと、個別コード生成手段１０’により暗証コードの共通コード以外の残りのコードが生成され、登録手段３’によりカード書込み部５’を介して２枚目の記憶カード２に暗証コードを書き込み、暗証コード記憶部４’に上記２枚目の記憶カード２に書き込み登録される暗証コードと同じ暗証コードを登録する。これで２枚目の記憶カード２への暗証コードの登録及び同じ暗証コードの暗証コード記憶部４’への登録が行われるものである。３枚目、４枚目も同様にして行い、記憶カード２の登録人数が規定人数（例えば８人）になるか、又は完了釦１８’を押下げると、登録手段３’による１回の登録ルーチンが終了し、登録手段３’による登録モードを抜けて通常モードに移行する。したがって、以後は登録消去釦１９’を押さない限り登録釦１７’を押しても登録手段３’は登録モードとならず、記憶カード２の登録はできないことになり、これにより暗証コード記憶部４’に登録された暗証コードの共通コードは全て同一となり、上記登録手段３’による１回の登録ルーチンで登録された複数枚の記憶カード２のみが門扉用電気錠１’を開閉制御できる記憶カード２となるものである。
【００３９】
このように、いったん登録手段３’による１回の登録ルーチンにより複数の記憶カード２に一部が共通のコードとなった暗証コードを登録すると共に暗証コード記憶部４’に記憶カード２に書き込む暗証コードと同じ暗証コードを登録した後に、記憶カード２、暗証コード記憶部４’に別の暗証コードを登録するには、登録消去釦１９’を押下げて登録消去手段６’により暗証コード記憶部４’に登録された過去の暗証コードを消去し、このように登録消去手段６’により暗証コード記憶部４’に記憶された過去の暗証コードが消去された時にのみ再登録受け付け手段７’により登録手段３’における新たな暗証コードの再登録を可能とするものであり、このように登録手段３’における新たな暗証コードの再登録を可能とした状態で、前述の図７のフローのようにして新たに登録手段３’による１回の登録ルーチンにより複数の記憶カード２に一部が新たな共通のコードとなった暗証コードを登録すると共に暗証コード記憶部４’に記憶カード２に書き込む暗証コードと同じ暗証コードを登録するものである。
【００４０】
ところで、門扉電気錠システムにおいて玄関用電気錠制御システムで登録した複数の記憶カード２を門扉電気錠システムに追加登録する場合、あるいは門扉電気錠システムのみを単独のシステムとして独自の記憶カード２により門扉用電気錠１’のみを開閉できるようにする場合のいずれの場合にも、既に門扉電気錠システムの暗証コード記憶部４’に暗証コードが登録してある場合には登録消去釦１９’を押下げて登録消去手段６’により暗証コード記憶部４’に登録してある暗証コードを消去しない限り、新たな玄関用電気錠制御システムと共通の暗証コードの追加登録又は門扉電気錠システム単独使用における暗証コードの登録ができないものであり、したがって、第３者が不正に門扉電気錠システムの暗証コード記憶部４’に別の暗証コードを追加登録又は登録したとしても、正当な使用者が自分の記憶カード２が使用できないことを知ることで第３者が不正に暗証コードを追加登録又は登録したことを知ることができて、即座に、追加登録釦２０又は登録消去釦１９’を押下げて登録消去手段６’により暗証コード記憶部４’に不正に登録された暗証コードを消去し、次に、前述の図５の追加登録のフロー、又は図７の単独使用の登録のフローのようにして新たに追加登録手段１１による１回の追加登録ルーチンにより複数の記憶カード２の暗証コードを暗証コード記憶部４’に追加登録するか、又は登録手段３’による１回の追加登録ルーチンにより複数の記憶カード２に一部が新たな共通のコードとなった暗証コードを登録すると共に暗証コード記憶部４’に記憶カード２に書き込む暗証コードと同じ暗証コードを登録するものである。これにより、不正な登録を直ぐに発見し、セキュリティ性を向上させることができるものである。
【００４１】
ところで、玄関扉電気錠システムにおいて扉２１には図３、図８に示すように屋内側に操作部１４が設けてあり、屋外側にカード読出し部８を設けてあり、外出時には図８（ａ）のように「閉扉・施錠」状態において屋内側で操作部１４の解錠釦１６を押下げ、図８（ｂ）のように「閉扉・解錠」状態とし、次に、図８（ｃ）のように門扉２１を押すことで「開扉」とし、図８（ｄ）のように扉２１を閉じて「閉扉・施錠」とし、その後、屋外側において記憶カード２をカード読出し部８において読み込んで施錠を行って図８（ｅ）のように「閉扉・施錠」状態とするのであるが、ここで、扉２１の屋外側にＬＥＤ等にて点灯を行う表示部２２を設け、通常の施錠状態では表示部２２は消灯しており、外出時に上記のように図８（ａ）、（ｂ）、（ｃ）、（ｄ）のように扉２１の解錠操作を行って門扉２１を開・閉操作を行った後、図８（ｄ）の段階で上記表示部２２が一定時間（例えば３０秒）点灯を行うようになっており、上記一定時間（例えば３０秒）以内であっても記憶カード２で施錠を行うと表示部２２が消灯するようになっている。したがって、上記のように外出時に解錠を行い、扉２１を開いて再び閉じて閉扉・解錠状態の場合には必ず表示部２２が点灯して施錠がまだなされていないことを表示するので、使用者は表示部２２の点灯を目視することで施錠忘れがないようにでき、図８（ｅ）のように施錠して「閉扉・施錠」となると表示部２２が消灯するので、施錠したことを確認できるものである。ちなみに、従来は施錠音により施錠を確認しているが、周囲の騒音により施錠時の音が聞き取れない場合あり、また、施錠状態を音で表示すると、近隣の迷惑になるが、上記のように施錠を表示するための表示部２２を設けると目視により施錠を確認できるものである。ここで、解錠して扉２１を開にし、その後に扉２１を閉じた後に表示部２２が一定時間（例えば３０秒）点灯を行うようにしたのは、点灯時間が必要以上に長いと、施錠を行わずに外出した場合に、表示部２２により解錠状態を第３者に知られることになって防犯上好ましくないからである。また、表示部２２による表示が短すぎると施錠作業が完了する前に点灯が消灯する可能性が生じ、施錠完了確認ができないという不都合があるので、一定時間、すなわち３０秒程度が好ましいものである。なお、上記点灯として一定時間（３０秒）以内に施錠すると消灯するようになっている。
【００４２】
また、外出から帰宅した場合は、図９（ａ）のように扉２１は「閉扉・施錠」状態であるが、図９（ｂ）のように記憶カード２をカード読出し部８において読み込んで解錠を行って「閉扉・解錠」状態とすると、図９（ｃ）のように上記表示部２２が一定時間（例えば３０秒）点灯して解錠となったことが使用者に目視により知ることができるようになっており、使用者はこのように解錠したことを確認して扉２１を開いて図９（ｄ）のように「開扉・施錠」状態とし、未解錠状態で扉２１を開くという誤操作を行うことがないものである。その後、図９（ｅ）のように室内側において扉２１を閉じて「閉扉・開錠」とし、次に、操作部１４に設けた施錠釦１６を押下げて玄関用電気錠１が閉として図９（ｆ）のように「閉扉・施錠」とするものである。
【００４３】
なお、表示部２２として図１０に示すように２つの表示部を設け、１つの表示部２２を解錠状態を表示する解錠用表示部２２ａとして解錠時に赤点灯をし、もう１つの表示部２２を施錠状態を表示する施錠用表示部２２ｂとして施錠時に青点灯をするようにしてもよく、この場合には扉２１の施錠状態、解錠状態が判別可能である。
【００４４】
なお、上記例では玄関扉電気錠システムにおいて扉２１の屋外側に表示部２２を設けた例を示したが、門扉電気錠システムおいて門扉２１’の屋外側に同様の作用をする表示部２２を設けてもよいものである。
【００４５】
また、上記実施形態においては一の機器制御システムにおいて制御対象となる機器１の例として玄関用電気錠を例として説明し、別の機器制御システムにおいて制御対象となる機器１’の例として門扉用電気錠を例として説明したが、制御する対象となる機器１、１’としては玄関用電気錠、門扉用電気錠以外の他の電気錠であってもよく、また、制御する対象となる機器１、１’としては電気錠以外の他の種々の機器が採用できるものである。
【００４６】
【発明の効果】
上記のように本発明の請求項１記載の発明にあっては、機器制御システムに機器を制御するための複数枚の記憶カードの全てに１回の登録ルーチンでそれぞれの暗証コードの一部を共通のコードとしてカード書き込み部を介して記憶カードに書き込んで登録すると共に記憶カードに書き込む暗証コードと同じ暗証コードを暗証コード記憶部に登録するようにした暗証コードの登録手段と、暗証コード記憶部に登録された過去の暗証コードを消去するための登録消去手段と、登録消去手段により暗証コード記憶部に記憶された過去の暗証コードが消去された時にのみ登録手段における新たな暗証コードの再登録を可能とする再登録受付け手段を備え、登録手段における１回の登録ルーチンで複数枚の記憶カードにそれぞれ暗証コードを登録するに当たって、上記複数枚の記憶カードの各暗証コードの一部を共通のコードとして生成するための共通コード生成手段と、各記憶カードの暗証コードの共通なコード以外の残りの部分をそれぞれ異なるコードとして生成するための個別コード生成手段とを設けてあるので、１回の登録ルーチンで登録した複数枚の記憶カードの暗証コードには共通のコードがついているため、仮に第三者が不正なやり方で暗証コードを付けて記憶カードを作成しようとしても共通コードを付けない限り読出し部で認証できずにセキュリティ性が向上するものであり、しかも、登録消去手段により暗証コード記憶部に記憶された過去の暗証コードを消去しなければ最初に登録した複数枚の記憶カード以外の記憶カードに暗証コードを登録することができず、従って、仮に第三者が不正に登録消去手段を操作して正規のやり方で新たに別の暗証コードを登録したとしても、正規の使用者は自分が使用する記憶カードの暗証コードが消去されて読出し部で認証できないので、誰かが不正に新たに登録したことが直ぐに判るものであり、これにより直ぐに、登録消去手段を操作して不正に登録された暗証コードを消去して新たに記憶カードに暗証コードを再登録して不正に登録した第三者の登録を無効にでき、セキュリティ性の高い機器制御システムを提供できる。
【００４７】
また、請求項２記載の発明にあっては、上記請求項１記載の発明の効果に加えて、個別コード生成手段により生成される各記憶カードの個別コード部分がランダムなコードであるので、個々の記憶カードの個別の暗証コードのセキュリティ性が向上するものである。
【００４８】
また、請求項３記載の発明にあっては、上記請求項１又は請求項２記載の発明の効果に加えて、共通コード生成手段により生成される各記憶カードの共通コード部分がランダムなコードであるので、登録手段における一回の登録ルーチンで登録される複数の記憶カードに登録される共通コードのセキュリティ性が向上するものである。
【００４９】
また、請求項４記載の発明にあっては、請求項１乃至請求項３のいずれかの機器制御システムと、該機器制御システムとは別の機器を制御する別の機器制御システムとよりなるシステム群であって、請求項１乃至請求項３のいずれかの機器制御システムにより記憶カードに登録した暗証コードを読み込んで別の機器の制御を可能とする追加登録手段を別の機器制御システムに備えてあるので、１つの機器制御システムにおいて機器を制御するために該機器制御システムの登録手段において登録してカード書込み部により書き込んだ記憶カードの暗証コードを、別の機器を制御する機器制御システムに設けた追加登録手段で読み込んで該別の機器制御システムに登録することが可能となり、共通の記憶カードを異なる機器制御システムにおいてそれぞれ認証して別々の機器を制御することができるものであって、使用が便利になると共にセキュリティが向上するものである。
【００５０】
また、請求項５記載の発明にあっては、上記請求項４記載の発明の効果に加えて、請求項１乃至請求項３のいずれかの機器制御システムにより記憶カードに登録した暗証コードを別の機器制御システムに登録するに当たって、請求項１乃至請求項３のいずれかの機器制御システムにより登録された複数枚の記憶カードにそれぞれ付けられた暗証コードの別な機器制御システムへの登録が追加登録手段における１回の登録ルーチンで行われるので、１つの機器制御システムにおいて機器を制御するために該機器制御システムの登録手段において登録してカード書込み部により書き込んだ複数枚の記憶カードの暗証コードを、別の機器を制御する機器制御システムに設けた追加登録手段で読み込んで該別の機器制御システムに登録するに当たって、別な機器制御システムへの登録が追加登録手段における１回の登録ルーチンで行うことができて、別な機器制御システムへの複数のカードの暗証コードの追加登録が一括して簡単に行えるものであって、追加登録作業が容易に行えるものである。
【００５１】
また、請求項６記載の発明にあっては、上記請求項５記載の発明の効果に加えて、請求項１乃至請求項３のいずれかの機器制御システムにより登録された複数枚の記憶カードにそれぞれ付けられた暗証コードを、別の機器制御システムにおいて追加登録手段により登録するに当たって、共通のコードが一致している記憶カードのみ登録可能で、共通のコードが一致していない記憶カードは登録不能とする登録拒否手段を設けるので、１つの機器制御システムにおいて機器を制御するために該機器制御システムの登録手段において登録してカード書込み部により書き込んだ複数枚の記憶カードの暗証コードを、別の機器を制御する機器制御システムに設けた追加登録手段で読み込んで該別の機器制御システムに登録するに当たって、追加登録手段で不正に登録しようとしても共通のコードが一致しないため、不正登録ができず、セキュリティ性が向上するものである。
【００５２】
また、請求項７記載の発明にあっては、請求項４乃至請求項６のいずれかに記載した別の機器制御システムに、別の機器を制御するための複数枚の記憶カードの全てに１回の登録ルーチンでそれぞれの暗証コードの一部を共通のコードとしてカード書き込み部を介して記憶カードに書き込んで登録すると共に記憶カードに書き込む暗証コードと同じ暗証コードを暗証コード記憶部に登録するようにした暗証コードの登録手段と、暗証コード記憶部に登録された過去の暗証コードを消去するための登録消去手段と、登録消去手段により暗証コード記憶部に記憶された過去の暗証コードが消去された時にのみ登録手段における新たな暗証コードの再登録を可能とする再登録受付け手段を備え、登録手段における１回の登録ルーチンで複数枚の記憶カードにそれぞれ暗証コードを登録するに当たって、上記複数枚の記憶カードの各暗証コードの一部を共通のコードとして生成するための共通コード生成手段と、各記憶カードの暗証コードの共通なコード以外の残りの部分をそれぞれ異なるコードとして生成するための個別コード生成手段とを設けてあるので、１つの機器制御システムで登録した記憶カードの暗証コードを別の機器制御システムに追加登録が可能であるだけでなく、１つの機器制御システムにおける複数の記憶カードへの暗証コードの登録と同様のやり方で別の機器制御システムにおいても複数の記憶カードへの暗証コードの登録が可能となるものである。
【図面の簡単な説明】
【図１】本発明の玄関電気錠システムの制御ブロック図である。
【図２】同上の門扉電気錠システムの制御ブロック図である。
【図３】同上の玄関扉と門扉を示す説明図である。
【図４】同上の玄関電気錠システムにおいて記憶カードに暗証コードを書き込み登録し且つ暗証コード記憶部に暗証カードを書き込み登録する操作を示すフローチャートである。
【図５】同上の門扉電気錠システムにおいて玄関電気錠システムにおいて登録した記憶カードの暗証コードを門扉電気錠システムにおける暗証コード記憶部に追加登録する操作を示すフローチャートである。
【図６】同上の玄関扉電気錠システムにおいて登録した複数枚の記憶カードの暗証コードを門扉電気錠システムの暗証コード記憶部に書き込んで追加登録する一例を示す説明図である。
【図７】同上の門扉電気錠システムを単独で使用する場合において記憶カードに暗証コードを書き込み登録し且つ暗証コード記憶部に暗証カードを書き込み登録する操作を示すフローチャートである。
【図８】同上の玄関電気錠システムに表示部を設けた場合における外出時の作用を説明する説明図である。
【図９】同上の玄関電気錠システムに表示部を設けた場合における帰宅時の作用を説明する説明図である。
【図１０】同上の表示部を２つ設けた例を示す説明図である。
【符号の説明】
１、１’　機器
２　記憶カード
３、３’　登録手段
４、４’　暗証コード記憶部
５、５’　カード書き込み部
６、６’　登録消去手段
７、７’　再登録受付け手段
８、８’　カード読出し部
９、９’　共通コード生成手段
１０、１０’　個別コード生成手段
１１　追加登録手段
１２　登録拒否手段
【図１】
2004084306.tif 000003
【図２】
2004084306.tif 000004
【図３】
2004084306.tif 000005
【図４】
2004084306.tif 000006
【図５】
2004084306.tif 000007
【図６】
2004084306.tif 000008
【図７】
2004084306.tif 000009
【図８】
2004084306.tif 000010
【図９】
2004084306.tif 000011
【図１０】
2004084306.tif 000012